(57)【要約】【課題】  適時一斉に同行人員全員の所在確認又は避難情況確認を適切に行うことができる人員管理システムの提供。【解決手段】  同行人員が所持し前記同行人員の管理情報を記憶する非接触記憶媒体１と、前記同行人員が所持する前記非接触記憶媒体１から前記非接触記憶媒体１が記憶する管理情報を一時で読み取る通信読取手段２と、前記同行人員の管理情報を記憶する管理情報記憶手段３と、前記管理情報記憶手段３が記憶する管理情報と前記通信読取手段２で読み取った管理情報を比較し前記同行人員の存否結果を出力する照合処理を行う情報照合手段４と、前記通信読取手段２に対して読取処理の開始指令を出力する読取制御手段５と、前記情報照合手段４が出力した前記存否結果を人が認識できる形で出力する報知手段６を備える人員管理システム。  【選択図】      図１
2016218931.tif 000002
【特許請求の範囲】
【請求項１】
同行人員が所持し前記同行人員の管理情報を記憶する非接触記憶媒体と、
前記同行人員が所持する前記非接触記憶媒体から前記非接触記憶媒体が記憶する管理情報を一時で読み取る通信読取手段と、
前記同行人員の管理情報を記憶する管理情報記憶手段と、
前記管理情報記憶手段が記憶する管理情報と前記通信読取手段で読み取った管理情報を比較し前記同行人員の存否結果を出力する照合処理を行う情報照合手段と、
前記通信読取手段に対して読取処理の開始指令を出力する読取制御手段と、
前記情報照合手段が出力した前記存否結果を人が認識できる形で出力する報知手段を備える人員管理システム。  
【請求項２】
管轄区域外からの無線信号を前記照合処理の対象から除外する情報選別手段を備える前記請求項１に記載の人員管理システム。
【請求項３】
複数の管轄区域に、各管轄区域を担当する前記通信読取手段及び前記報知手段を備え、
前記情報照合手段が出力した各管轄区域の存否結果を各管轄区域の前記報知手段に送信する管理手段を備える前記請求項１又は前記請求項２のいずれかに記載の人員管理システム。
【発明の詳細な説明】
【技術分野】
【０００１】
本発明は、搭乗、宿泊又は避難など、様々な場において同行人員の存否確認を行う人員管理システムに関するものである。
【背景技術】
【０００２】
例えば、天災又は原子力発電所、工事現場若しくはトンネルなどにおける事故などにおいて、その現場に滞在すること自体に危険が伴う場合には、一刻も早く当該現場から離れ安全な場所に避難する必要がある。
【０００３】
その際、被災した人員（以下「被災者」と記す）は、バスその他の車両に分散して避難場所へ送り届けられることとなるが、同時に、被災者を避難場所へ誘導し送り届ける人員（以下「救助作業員」と記す）は、当該現場に居た被災者を速やかに且つ確実に把握し、把握した人員と避難済の人員とを照合して、誰が避難し誰が避難していないかといった存否管理を迅速に行う必要がある。
被災者の把握や避難情況の管理に手間取り緊急時の避難が迅速に行われないと、前記被災者のみならず救助作業員も長時間にわたって危険地域に留まることとなり、両者のなかから死傷者が出る可能性も高くなる。
【０００４】
従来、この様な存否管理は、乗車者管理システム（例えば下記特許文献１参照）、ツアー旅行者確認システム（例えば下記特許文献２参照）又は施設利用客情報管理システム（例えば下記特許文献３参照）などの態様で、非接触の情報記憶媒体と前記情報記憶媒体が保持する情報を取得する通信読取手段を利用したシステムとして種々提供されている。
【先行技術文献】
【特許文献】
【０００５】
【特許文献１】特開平１１−２８３０６５号公報
【特許文献２】特開２００４−２５２９０９号公報
【特許文献３】特開２００５−１００１８３号公報
【発明の概要】
【発明が解決しようとする課題】
【０００６】
しかしながら、従来の様々な人員管理システムでは、同行人員の存否を確認する時期は個々様々であり、累積情報としての確認はできても、適時一斉に同行人員全員の存否を確認することはできないという問題がある。一方、人員の存否を確認した後においても、それらの人員が再び車両から下車し又はその他の人員が乗車する場合がある。
また、同行人員は所持する非接触の情報記憶媒体の情報を読み取らせるために、意図的に通信読取手段に近づけるなどの行為が必要となる場合もあり、その行為を怠り又は不十分に行った場合には、目的とする存否確認ができないという問題もあった。
【０００７】
この様に、車両であれば出発時など、肝心な時に全員の存在を同時に確認できないシステムは、同行人員の置き去りといった事故が発生する可能性を残すこととなる。
また、その様な事故を解消すべく、再び危険地域に出向けば、前記救助作業員などの危険をより高めることともなる。
【０００８】
また、仮に、同行人員が複数の車両に分乗する場合や、同行人員が複数の場所に誘導される場合において、一部のグループに一部人員の不在や予定外の人員の存在が確認されたとしても、全体として人員の存在が確認できれば目的が達成できる場合もあり、その様な事態への合理性ある対応を適切に行えるシステムが求められている。
【０００９】
本発明は、上記実情に鑑みてなされたものであって、適時一斉に同行人員全員の所在確認又は避難情況確認を適切に行うことができる人員管理システムの提供を目的とする。
【課題を解決するための手段】
【００１０】
上記課題を解決するためになされた本発明による人員管理システムは、同行人員が所持し前記同行人員の管理情報を記憶する非接触記憶媒体と、前記同行人員が所持する前記非接触記憶媒体から前記非接触記憶媒体が記憶する管理情報を一時で読み取る通信読取手段と、前記同行人員の管理情報を記憶する管理情報記憶手段と、前記管理情報記憶手段が記憶する管理情報と前記通信読取手段で読み取った管理情報を比較し前記同行人員の存否結果を出力する照合処理を行う情報照合手段と、前記通信読取手段に対して読取処理の開始指令を出力する読取制御手段と、前記情報照合手段が出力した前記存否結果を人が認識できる形で出力する報知手段を備えることを特徴とする。  
【００１１】
尚、ここで管理情報とは、秘匿されたデータベースのインデックスコードなど、他の情報と照らし合わせることによって個人を特定できる識別コードなどであればよい。
また、ここで一時とは、前記同行人員の個々が前記通信読取手段の管轄区域へ到着する毎に前記非接触記憶媒体の管理情報を読み取るのではなく、例えば、管理者が人為的に読取制御手段に読取処理開始のタイミングを与えた時又は扉の開放直前若しくは閉鎖直後などの適時に、当該管轄区域内に存在する全ての前記非接触記憶媒体の管理情報を一斉に読み取る処理を、前記適時内に出力される単一の指令又は前記適時内に一定周期で行われる複数の指令をもって行うことを意味する。
【００１２】
前記人員管理システムは、管轄区域外からの無線信号を前記照合処理の対象から除外する情報選別手段（無線通信の受信強度による判定、電磁シールド、RFID情報更新手段など）を備える構成とすることができる。
【００１３】
前記人員管理システムは、複数の管轄区域について包括的な存否管理を行うべく、複数の管轄区域に各管轄区域を担当する前記通信読取手段及び前記報知手段を備え、前記情報照合手段が出力した各管轄区域の存否結果を各管轄区域の前記報知手段に送信する管理手段を備える構成とすることもできる。
【発明の効果】
【００１４】
本発明による人員管理システムによれば、救助作業員などやその管轄にある同行人員が所持する前記非接触記憶媒体から、前記非接触記憶媒体が記憶する管理情報を、前記読取処理の開始指令を得て一時で単数回又は一定周期で複数回読み取ることによって、例えば、非閉鎖エリアであれば管理者が人為的に読取制御手段に読取処理開始のタイミングを与えた時、車両などの乗り物であれば出発時や到着時、施設などであれば施錠時などの最適な時期に全員の存在を一斉に確認することができる。
その結果、緊急避難時などに、被災者や救助作業員の置き去りなどといった事故が発生する可能性を低減することができる。
【００１５】
前記非接触記憶媒体の管理情報を読み取る前記通信読取手段と、当該通信読取手段の管轄区域外の無線情報を前記照合処理の対象から除外する情報選別手段を備えることによって、管轄区域外の信号に起因した誤判定を防止することができる。
【００１６】
前記情報照合手段が出力した前記存否結果を各管轄区域の前記報知手段に通報する管理手段を備えることによって、同行人員全員が、複数の管轄区域に分けられ、管轄区域毎に定められた引率者や監督者が当該管轄に属する人員の所在を管理しなければならない場合において、一部の管轄区域に一部人員の不在が確認されたとしても、全体として人員の存在を確認することができ、目的を円滑に遂行することができる。
逆に、災害現場での避難者のなかで同行人員の不在を確認した場合において、前記通信読取手段が設置された管轄区域について、行方不明者や逃げ遅れた者の所在確認にも用いることができる。
【図面の簡単な説明】
【００１７】
【図１】本発明による人員管理システムの一例を示す説明図である。
【図２】本発明による人員管理システムの一例を示す説明図である。
【図３】本発明による人員管理システムの一例を示す説明図である。
【図４】本発明による人員管理システムの一例を示す説明図である。
【図５】本発明による人員管理システムの一例を示すブロック図である。
【図６】本発明による人員管理システムの一例を示すブロック図である。
【図７】本発明による人員管理システムの一例を示すブロック図である。
【発明を実施するための形態】
【００１８】
以下、本発明による人員管理システムの実施の形態を、図面に基づき詳細に説明する。
図1乃至図４に示す例は、搭乗、宿泊又は避難などの様々な場面における対象者及び管理者（以下「同行人員」と記す）が所持する複数の非接触記憶媒体１と、前記非接触記憶媒体１が記憶する管理情報を読み取る通信読取手段２と、前記同行人員の前記管理情報及びその非接触記憶媒体１を携帯する同行人員の個人情報（氏名、住所、生年月日など）を記憶する管理情報記憶手段３と、前記管理情報記憶手段３が記憶する前記管理情報又は当該管理情報及び前記個人情報（個人情報漏洩防止のため管理情報のみの場合が多い）と前記通信読取手段２で読み取った前記管理情報又は当該管理情報及び前記個人情報を比較し前記同行人員の存否結果を出力する照合処理を行う情報照合手段４と、前記通信読取手段２に対して読取処理の開始指令を出力する読取制御手段５と、前記情報照合手段４が出力した前記存否結果を音、光、表示の形で出力する報知手段６を備える人員管理システムである。  
【００１９】
この例の前記非接触記憶媒体１は、ＩＣタグ及びバッテリーを内蔵したＲＦタグＢである（図５乃至図７参照）。
前記ＩＣタグは、前記通信読取手段２との間で、前記管理情報又は当該管理情報及び前記個人情報を乗せた電波の授受を行う通信部と、前記管理情報又は当該管理情報及び前記個人情報を記憶する記憶部と、前記通信部を介して外部と前記管理情報又は当該管理情報及び前記個人情報の授受を行い前記記憶部の前記管理情報又は当該管理情報及び前記個人情報の更新を行う制御部を備える。
前記記憶部は、各非接触記憶媒体１について固有のＩＤコード又はＩＤコード及び管理コードを含む前記管理情報の記憶領域並びにその非接触記憶媒体１を携帯する人員の前記個人情報を紐づけて記憶する記憶領域を読取可能に又は更に書き換え可能に備える。
【００２０】
この例の前記通信読取手段２は、前記ＩＣタグの通信部に対して電波による無線通信を行う近距離通信部と、前記管理情報記憶手段３及び前記情報照合手段４と通信を行う長距離通信部と、前記非接触記憶媒体１の記憶部に対して前記管理情報又は当該管理情報及び前記個人情報の読み取り又は読み書きを行う読み書き部を備える。
【００２１】
この例の前記通信読取手段２が具備する前記近距離通信部は、３００ＭＨｚ帯域で通信距離を１ｍ〜５ｍに限る通信回路を採用する。
この様に、管理区域内の存否を確実に識別できる能力を持ちつつも、通信出力を近距離に限定して検出信号に対する判定閾値を設定し当該判定閾値を基準として検出信号の有効無効を定める手法は、管轄区域外で発生した信号を存否確認の対象から排除し管理区域内外の誤判定を防止する情報選別手段７の一つである（図５参照）。
【００２２】
この例の前記管理情報記憶手段３は、各非接触記憶媒体１固有のＩＤコード及び前記ＩＤコードが付された前記非接触記憶媒体１を携帯する同行人員の個人情報並びに定期的に更新される管理コードを紐づけて記憶するデータベースと、当該データベースに保存された情報の授受を行う長距離通信部を備える。
【００２３】
この例の前記情報照合手段４は、前記管理情報記憶手段３及び前記通信読取手段２との間で情報の授受を行う長距離通信部と、前記管理情報記憶手段３に蓄えられたＩＤコード又は蓄えられたＩＤコード及び最新の管理コードと前記非接触記憶媒体１から読み取ったＩＤコード又は読み取ったＩＤコード及び管理コードとを照合する照合部を備える。
【００２４】
この例の前記通信読取手段２、前記管理情報記憶手段３及び前記情報照合手段４が具備する前記長距離通信部は、各々の通信対象との間で無線通信やインターネットなどの情報通信網を介して前記近距離通信部を超える通信距離が確保された長距離通信を行うための通信インターフェースを備える。
【００２５】
この例の前記読取制御手段５は、前記通信読取手段２に対して前記非接触記憶媒体１の情報を採取する読取処理開始のタイミングを外部から検出する入力部と、前記読取処理の開始指令を出力する制御部を備える。
【００２６】
前記情報選別手段７は、管轄区域外からの無線信号を前記照合処理の対象から除外することを目的とする構成である。
即ち、前記情報選別手段７は、先に記した無線通信の受信強度が事前に設定された値以下の場合は前記照合処理の対象から外す手法（図５参照）や識別性を高める為に管轄区域を覆う電磁シールドを設定する手法（図６参照）の他、前記管理コードを定期的に更新する管理情報更新手段８を設ける手法などの採用が可能である（図７参照）。
【００２７】
上記例による人員管理システムが複数の管轄区域を有する場合には、それらの各管轄区域を担当する前記通信読取手段２及び前記報知手段６を備え、前記情報照合手段４が出力した各管轄区域の存否結果を各管轄区域の前記報知手段６に送信する管理手段９を備える構成を採ることができる（図４参照）。
前記報知手段６は、前記情報照合手段４で行われた処理の結果を受け、それが管理者に認知できる様に、音声、表示又は光などで出力する。
【００２８】
前記管理手段９は、複数の管轄区域について包括的な避難管理を行うための構成要素である。
即ち、前記管理手段９は、前記存否結果から同行人員全員に関する不足又は過剰を検出すると共に、複数の管轄区域において個別に生じた人員の不足又は過剰を検出し、不足人員と過剰人員の照合処理を行い、当該照合処理の結果、両者が合致した場合に、前記不足若しくは過剰が生じた関連管轄区域又は全管轄区域の前記報知手段６に、不足が生じた管轄区域及び不足人員の前記管理情報若しくは前記個人情報又は双方並びに過剰が生じた管轄区域及び過剰人員の前記管理情報若しくは前記個人情報又は双方を送信する。
【００２９】
以下の実施例１及び実施例２のいずれかに示す例は、例えば、比較的大規模な施設においてその全域にわたる火災が発生し、火災現場から離隔した場所（例えばバスターミナルなど）に設置した管理サーバＡによる管理の下、当該施設の職員及び利用者を複数台のバスに乗せて避難させる場合を想定したものである。
この例は、前記施設に立ち入る際に、当該施設の職員その他の入場者及びこれらの被災者を救助する救助作業員などの人員に、前記ＲＦタグＢを漏れなく携帯させると共に、前記人員が搭乗する各バスは、前記情報選別手段７として鉄板製の車体を備え且つ窓ガラスに電磁シールド効果を有するフィルムを貼ったものであって、各々の管理区域となる車内に、前記通信端末装置Ｃを満遍なく設置し、全ての座席に座る人員の前記ＲＦタグＢとの通信を確保する構成を採る。
また、前記読取制御手段５の入力部は、各バスの扉のトリガー検出手段１０から扉が閉鎖した時期や救助作業の監督者によって前記読取制御手段５に対する点呼操作（存否確認を促す操作）が行われた時期を取り込み、読取処理の開始指令とする。
【００３０】
この例では、前記管理サーバＡと、前記通信読取手段２と、前記管理情報記憶手段３を含むＬＡＮ（ローカルエリアネットワーク）などを構成し、前記管理情報又は前記管理情報及び前記個人情報の授受を行うために、前記通信読取手段２と前記非接触記憶媒体１を含む無線通信手段を構成する。
この例の前記管理サーバＡは、前記情報照合手段４と前記管理手段９を備え、前記管理情報記憶手段３を具備するデータサーバＤと前記ＬＡＮなどを介して適宜通信を行う。
この例の前記ＲＦタグＢは、前記非接触記憶媒体１を備え、前記通信端末装置Ｃは、前記通信読取手段２及び前記報知手段６と通信を行う（図５乃至図７参照）。
【実施例１】
【００３１】
図１に示す例は、前記施設に立ち入る際に、当該施設の職員その他の入場者及びこれらの被災者を救助する救助作業員などの人員に、前記ＲＦタグＢを漏れなく携帯させ、前記人員が搭乗する各バスは、各々の管理区域となる車内に、前記情報端末装置Ｃを複数満遍なく設置し、全ての座席に座る人員の前記ＲＦタグＢとの通信を確保すると共に、複数の前記通信端末装置Ｃが読み取った前記管理情報若しくは前記管理情報及び前記個人情報又は複数の前記通信端末装置Ｃを介して書き込むべき前記管理情報若しくは前記管理情報及び前記個人情報の前記情報照合手段４に対する送受信を、各情報端末装置Ｃが個別に行う構成を採る。
【００３２】
上記実施例１は以上の如く構成され、前記情報選別手段７によって、当該通信読取手段２が管轄するバス内の前記ＲＦタグＢからしかＩＤコード又はＩＤコード及び管理コードが受信できない環境がバスの車内という管轄区域に創造される（図５参照）。
また、図１に示す例は、バスの発車地点と到着地点にゲートウエイＸ及びゲートウエイＹを設置し、前記管理サーバＡが接続されたＬＡＮとインターネットなどの情報通信網を介して接続する。
その上で、前記読取制御手段５は、救助作業の管理者（複数の管理者が存在する場合にはいずれかの管理者）による読取操作や、バスの扉が閉鎖されたことを前記トリガー検出手段１０から受けて読取処理の開始指令を出力する。
【００３３】
図１に示す例では、全ての前記通信読取手段２は、前記読取処理の開始指令を受けて、各通信読取手段２の管轄区域である当該バスに乗車している人員全ての前記非接触記憶媒体１から、ＩＤコード又はＩＤコード及び管理コードを一時に読み取り、読み取った全てのＩＤコード又はＩＤコード及び管理コードを無線通信で最寄りのゲートウエイへ送信する。
前記ゲートウエイＸ又は前記ゲートウエイＹは、前記通信読取手段２からＩＤコード又はＩＤコード及び管理コードを受けて、それらを前記情報通信網又はＬＡＮを介して前記管理サーバＡへ送信する。
【実施例２】
【００３４】
図２に示す例は、前記施設に立ち入る際に、当該施設の職員その他の入場者及びこれらの被災者を救助する救助作業員などの人員に、前記ＲＦタグＢを漏れなく携帯させ、前記人員が搭乗する各バスは、各々の管理区域となる車内に、前記情報端末装置Ｃを複数満遍なく設置し、全ての座席に座る人員の前記ＲＦタグＢとの通信を確保すると共に、バス一台につき一台の端末親機Ｅを設置し、複数の前記通信端末装置Ｃが読み取った前記管理情報又は前記管理情報及び前記個人情報の前記情報照合手段４に対する送信を、前記端末親機Ｅが一括で行う構成を採る。
【００３５】
上記実施例２は以上の如く構成され、前記情報選別手段７によって、当該通信読取手段２が管轄するバス内の前記ＲＦタグＢからしかＩＤコード又はＩＤコード及び管理コードが受信できない環境がバスの車内という管轄区域に創造される（図６参照）。
当該第２実施例は、電磁シールドによる情報選別手段７を採用することによって、前記ＲＦタグＢとして、前記管理コードの書き換えを行わない構成を採ることもできる。
その上で、前記読取制御手段５は、救助作業の管理者（複数の管理者が存在する場合にはいずれかの管理者）による読取操作や、バスの扉が閉鎖されたことを前記トリガー検出手段１０から受けて読取処理の開始指令を出力する。
【００３６】
図２に示す例では、前記通信読取手段２は、前記読取処理の開始指令を受けて、当該バスに乗車している人員全ての前記非接触記憶媒体１から、ＩＤコード及び管理コードを一時に読み取り、読み取った全てのＩＤコード及び管理コードを無線通信で車内の前記端末親機Ｅへ送信する。
前記端末親機Ｅは、前記通信読取手段２からＩＤコード及び管理コードを受けて、それらを無線通信で車外の前記管理サーバＡへ送信する。
【実施例３】
【００３７】
図３に示す例は、例えば、比較的大規模な施設に大勢で移動し、例えば引率者が所持する携帯型の管理装置による管理の下、当該同行人員及び引率者を複数の部屋に割り振って宿泊させる場合を想定したものである。前記管理装置は、前記読取制御手段５、前記管理サーバＡ、データサーバＤ及びそれらと前記情報端末装置Ｃとの通信を介するゲートウエイとしての機能を備える。
【００３８】
図３に示す例は、少なくとも前記施設に立ち入る際に、前記引率者及び同行人員に、前記ＲＦタグＢを漏れなく携帯させ、前記引率者及び同行人員が宿泊する各部屋は、各々管理区域として携帯型の前記情報端末装置Ｃを複数満遍なく設置し、管理区域に存在する全ての人員の前記ＲＦタグＢとの通信を確保すると共に、複数の前記通信端末装置Ｃが読み取った前記管理情報若しくは前記管理情報及び前記個人情報又は複数の前記通信端末装置Ｃを介して書き込むべき前記管理情報若しくは前記管理情報及び前記個人情報の前記情報照合手段４に対する送受信を、各情報端末装置Ｃが個別に行う構成を採る。
尚、この例における前記情報選別手段７は、先に記した無線通信の受信強度により判定を行う手法と、管轄区域内において前記管理コードを定期的に更新する管理情報更新手段８を設ける手法を併用することとする。
【００３９】
上記実施例３は以上の如く構成され、前記情報選別手段７によって、当該通信読取手段２が管轄する室内の前記ＲＦタグＢからしかＩＤコード又はＩＤコード及び管理コードが受信できない環境が施設の室内という管轄区域に創造される（図７参照）。
前記読取制御手段５は、引率者による読取操作を前記トリガー検出手段１０から受けて読取処理の開始指令を出力する。
【００４０】
図３に示す例では、全ての前記通信読取手段２は、前記読取処理の開始指令を受けて、各通信読取手段２の管轄区域である各部屋に滞在している人員全ての前記非接触記憶媒体１から、ＩＤコード又はＩＤコード及び管理コードを一時に読み取り、読み取った全てのＩＤコード又はＩＤコード及び管理コードを無線通信で最寄りのゲートウエイへ送信する。
前記ゲートウエイは、前記通信読取手段２からＩＤコード又はＩＤコード及び管理コードを受けて、それらを前記情報通信網又はＬＡＮを介して前記管理サーバＡへ送信する。
【００４１】
前記実施例1乃至実施例３の前記管理サーバＡの前記情報照合手段４は、同行人員として予定されている前記管理情報記憶手段３の前記データベースに記憶されたＩＤコード又はＩＤコード及び管理コードと、前記通信読取手段２から送信されたＩＤコード又はＩＤコード及び管理コードとを照合し、バス又は部屋（管轄区域）毎に、人員の存否結果を出力する。
また、前記管理手段９は、前記情報照合手段４が出力した各管轄区域の存否結果に基づき、同行する複数の全ての管轄区域全体として存在すべき人員全てが存在しているか否かを示す存否結果を出力する。
これをもって、例えば、複数台のバスが同行したとしても、或いは同行人員が複数の部屋に割り当てられたとしても、前記管理サーバＡから避難全体の進捗を確認することができる。
【００４２】
前記存否結果は、各管轄区域の前記通信読取手段２が具備する前記報知手段６にディスプレイ画像などで表示され、前記報知手段６を確認することができる同行人員（監督者）は、自ら管轄するバス又は部屋に割り当てた人員の存否を確認する（例えば図３参照）。
【００４３】
例えば、当該人員が管轄するバスの搭乗人員や割り当てられた部屋の人員が不足している場合は、前記報知手段６に、不足している人員のＩＤコード又はＩＤコード及びその個人情報を表示し、同時に、他のバスの搭乗人員又は他の部屋の存在人員が過剰であった場合には、当該バス又は部屋のＩＤコード及び過剰人員のＩＤコード又はＩＤコード及びその個人情報を同報知手段６に表示する。前記報知手段６は、この表示と併せて、同行する全てのバス又は部屋についての存否結果を表示する構成を採ってもよい。
【００４４】
前記報知手段６の内容を確認した不足人員を有するバス又は部屋を管轄する監督者は、過剰人員を有するバス又は部屋の過剰人員が当該不足人員であるか否かを確認することによって、当該不足人員が確かに他のバス又は部屋に搭乗していることを確認することができ、同行するバス又は確保した部屋全体としても、同行人員全てが存在しているとの存否結果を確認することができる。
【００４５】
前記管理コードは、複数のビットで構成される乱数コードを定期的に発生させ、又は日時を数値化して、当該管理コードの一部又は全部として組み入れたものである。
前記情報選別手段７は、前記管理コード生成手段で前記管理コードを定期的に生成し、例えば、扉が閉鎖する直前に、前記通信読取手段２の前記読み書き部及び前記前記情報照合手段４へ送信する。
前記通信読取手段２の前記読み書き部は、送信された管理コードで、前記ＲＦタグＢが備える前記記憶部の管理コードの記憶領域の内容を更新し、前記情報照合手段４は、前記照合部において照合の基準となる管理コードを更新する。
【００４６】
上記情報選別手段７の存在によって、前記読み書き部がデータを書き込める距離を超えて離隔した前記非接触記憶媒体１を携帯する人員を誤読し誤判定を行うことを防止することができる。
【符号の説明】
【００４７】
Ａ  管理サーバ，Ｂ  ＲＦタグ，Ｃ  通信端末装置，Ｄ  データサーバ，
Ｅ  端末親機，
１  非接触記憶媒体，２  通信読取手段，３  管理情報記憶手段，
４  情報照合手段，５  読取制御手段，６  報知手段，７  情報選別手段，
８  管理情報更新手段，９  管理手段，１０  トリガー検出手段，
【図１】
2016218931.tif 000003
【図２】
2016218931.tif 000004
【図３】
2016218931.tif 000005
【図４】
2016218931.tif 000006
【図５】
2016218931.tif 000007
【図６】
2016218931.tif 000008
【図７】
2016218931.tif 000009